(57)【要約】【課題】複数の指圧突起を長尺な本体の延在方向に並べた指圧列を、前記延在方向に直交する周方向に120度等間隔で前記本体に３列設けた指圧具において、複数の指圧突起の１個のみに首、背中、腰や臀部が押し当てられても本体が持ち上がらず、ひっくり返らないようにする。【解決手段】複数の指圧突起111,121,131を長尺な本体14の延在方向に並べた指圧列11,12,13を、前記延在方向に直交する周方向に120度等間隔で前記本体14に３列設けた指圧具１において、設置面３に指圧突起111,121,131を接地させる２列の指圧列12,13の周方向中間角度で、本体14の端部に直近する前記指圧列12,13の指圧突起121,131と前記本体14の端部とを本体14の延在方向に結ぶ間の本体14から、前記設置面３に当接する転倒防止突起144を突出させた。【選択図】図１
2015217190.tif 000002
【特許請求の範囲】
【請求項１】
複数の指圧突起を長尺な本体の延在方向に並べた指圧列を、前記延在方向に直交する周方向に120度等間隔で前記本体に３列設けた指圧具において、
設置面に指圧突起を接地させる２列の指圧列の周方向中間角度で、本体の端部に直近する前記指圧列の指圧突起と前記本体の端部とを本体の延在方向に結ぶ間の本体から、前記設置面に当接する転倒防止突起を突出させたことを特徴とする指圧具。
【請求項２】
転倒防止突起は、各指圧列の周方向中間角度すべてで本体から突出させた請求項１記載の指圧具。
【請求項３】
転倒防止突起は、本体の両端部それぞれに直近する指圧列の指圧突起と前記本体の両端部とを本体の延在方向に結ぶ間それぞれに本体から突出させた請求項１又は２いずれか記載の指圧具。
【請求項４】
転倒防止突起は、本体の端部から前記本体の延在方向に突出させた請求項１〜３いずれか記載の指圧具。
【請求項５】
本体は、端部の一方又は両方から本体の延在方向に持ち手を突出させた請求項１〜４いずれか記載の指圧具。
【発明の詳細な説明】
【技術分野】
【０００１】
本発明は、首、背中、腰や臀部等にある左右一対のつぼを刺激する指圧具に関する。
【背景技術】
【０００２】
首、背中、腰や臀部にある左右一対のつぼを刺激する指圧具は、例えば特許文献１に見られるように、２個の指圧突起（突起）を長尺な三角柱状の本体（三角棒）の延在方向に並べた指圧列を、前記延在方向に直交する周方向に120度等間隔で前記本体に３列設けた構成がある。特許文献１が開示する指圧具は、例えば下方を向いた２面それぞれから突出する合計４個の指圧突起を床面等の設置面に接地させた状態で仰向けになった利用者が乗り、上方を向いた１面から突出する２個の指圧突起に上方から首、背中、腰や臀部を押し付けて、前記首、背中、腰や臀部にある左右一対のつぼを刺激する。
【０００３】
特許文献１が開示する指圧具は、各指圧列に並ぶ指圧突起の間隔が異なり、いずれかの指圧列を上方に向けて突出させることにより、利用者に体格や身長に合わせた指圧突起の間隔を選択できるようになっている。また、本体の一端を延長して持ち手（握柄）とすることにより、指圧具そのものを扱いやすくすると共に、例えば持ち手を持ち、いずれかの指圧列に並ぶ指圧突起を肩に打ち付けるようにして、指圧具を肩叩き具として利用できるようにしている。
【先行技術文献】
【特許文献】
【０００４】
【特許文献１】実全昭48-064294号公報
【発明の概要】
【発明が解決しようとする課題】
【０００５】
特許文献１が開示する指圧具は、上方に向けて突出させた指圧列を構成する２個の指圧突起に、首、背中、腰や臀部を同時に押し当てることができればよい。しかし、利用者が前記指圧具の上に仰向けになる際、２個の指圧突起のいずれか先に首、背中、腰や臀部が当たることも少なくなく、こうした場合、持ち手が接地する限度で本体が持ち上がる問題があった。しかし、持ち手が接地しても、本体が目に見えて持ち上がって指圧具ががたつくこともあり、がたついた指圧具が首、背中、腰や臀部に打ち付けられることもある。
【０００６】
また、指圧具に本体から延長した持ち手がなければ、上述のように２個の指圧突起の一方のみに首、背中、腰や臀部が押し当てられると、本体が大きく持ち上げられ、更にひっくり返ることもある。この場合、指圧具がひっくり返る際に利用者が体勢を崩して怪我をする虞も出てくる。指圧具の利用者は高齢者が多く、このように怪我を招く虞があると、現実的に利用し難くなる。そこで、複数の指圧突起を長尺な本体の延在方向に並べた指圧列を、前記延在方向に直交する周方向に120度等間隔で前記本体に３列設けた指圧具において、複数の指圧突起の１個のみに首、背中、腰や臀部が押し当てられても本体が持ち上がらず、ひっくり返らないようにするため、検討した。
【課題を解決するための手段】
【０００７】
検討の結果、複数の指圧突起を長尺な本体の延在方向に並べた指圧列を、前記延在方向に直交する周方向に120度等間隔で前記本体に３列設けた指圧具において、設置面に指圧突起を接地させる２列の指圧列の周方向中間角度で、本体の端部に直近する前記指圧列の指圧突起と前記本体の端部とを本体の延在方向に結ぶ間の本体から、前記設置面に当接する転倒防止突起を突出させたことを特徴とする指圧具を開発した。本体及び指圧突起は、それぞれ木製、金属製又は樹脂製で、指圧突起の頂面は、利用者の背中、腰及び首に接触するため、コルクや弾性変形する柔らかい樹脂を用いる。
【０００８】
本発明の指圧具は、本体の端部と指圧突起との間に、指圧列の周方向中間角度から転倒防止突起を突出させることにより、複数の指圧突起の１個のみに首、背中、腰や臀部が押し付けられた時に、本体が持ち上がったり、ひっくり返ったりしないようにする。転倒防止突起は、指圧突起が接地する設置面に当接するだけの突出量で、直上に向けて突出する指圧突起より上方へ突出することがなく、また本体の端部と指圧突起との間で本体から突出することから、不用意に利用者に当たる虞はない。
【０００９】
転倒防止突起は、特定の指圧列に対して本体の端部の一方にのみ設けるだけでもよいが好ましい転倒防止突起は、各指圧列の周方向中間角度すべてで本体から突出させるとよい。これにより、接地面に接地する指圧突起が変わっても転倒防止突起を設置面に当接させることができ、本体の持ち上がりやひっくり返ることを防止できる。また、好ましい転倒防止突起は、本体の両端部それぞれに直近する指圧列の指圧突起と前記本体の両端部とを本体の延在方向に結ぶ間それぞれに本体から突出させる。これにより、本体の延在方向いずれの側も、持ち上がりやひっくり返ることを防止できる。
【００１０】
転倒防止突起は、本体の端部と前記端部に直近の指圧突起の間で本体から突出させれば十分であるが、例えば本体の端部から前記本体の延在方向に突出させることにより、転倒防止突起の接地面積を増やすと共に、本体を持ち上げようとする回動に対抗しやすくなり、指圧具の設置安定性を向上させる。そして、安定して設置面に置かれた指圧具を、前記設置面に当接する転倒防止突起の先端を支点として持ち上げ、指圧突起を利用者の首、背中、腰や臀部に強く押し付けることができる。
【００１１】
本発明の指圧具においても、本体は、端部の一方又は両方から本体の延在方向に持ち手を突出させることにより、取扱を容易にしたり、指圧具を肩叩き具として利用できるようにする。また、上述のように、本体の端部の一方から突出させた転倒防止突起を設けた場合、残る本体の端部の他方から突出させた持ち手を持てば、前記転倒防止突起の先端を支点として指圧具を持ち上げる操作が容易になる。これから、本体の端部から突出させる転倒防止突起と持ち手とは、本体の端部の両方に対して振り分けて設けることになる。
【発明の効果】
【００１２】
本発明により、指圧列に並ぶ複数（通常２個又は３個）の指圧突起の１個のみに首、背中、腰や臀部が押し付けられた時、本体が持ち上がったり、ひっくり返ったりしない指圧具が提供できる。これは、設置面に指圧突起を接地させる２列の指圧列の周方向中間角度で、本体の端部に直近する前記指圧列の指圧突起と前記本体の端部とを本体の延在方向に結ぶ間の本体から、前記設置面に突出させた転倒防止突起による働きである。転倒防止突起は、指圧突起より突出量が小さいため、邪魔にならず、本体の転倒を抑制又は防止する点で効用が大きい。
【００１３】
こうした転倒防止突起は、各指圧列の周方向中間角度すべてで本体から突出させたり、本体の両端部それぞれに直近する指圧列の指圧突起と前記本体の両端部とを本体の延在方向に結ぶ間それぞれに本体から突出させることにより、設置面に接地させる指圧列を入れ替えても、また指圧列に並ぶどの指圧突起に首、背中、腰や臀部が押し付けられても、本体が持ち上がったり、ひっくり返ったりしないようにできる。こうして、本発明は、極めて安定して指圧具を接地面に置いておくことができる効果を得る。
【００１４】
更に、本発明は、転倒防止突起を本体の端部から前記本体の延在方向に突出させると、転倒防止突起の接地面積を増やして上記本体の転倒防止の効用を高め、指圧具の設置安定性を向上させるほか、前記設置面に当接する転倒防止突起の先端を支点として指圧具を持ち上げ、指圧突起を利用者の首、背中、腰や臀部に強く押し付ける態様での使用をできるようにする効果を得る。本体から突出させた転倒防止突起は、持ち手として利用できる。
【００１５】
本体から突出させた転倒防止突起と別に、前記本体から突出させた持ち手は、指圧具の取扱を容易にしたり、前記指圧具を肩叩き具として利用できる効果を有する。特に、本体から突出させた転倒防止突起の先端を支点として指圧具を持ち上げる場合、前記転倒防止突起と逆の側から持ち手を突出させておくと、指圧具を持ち上げる操作が容易になる効果も得られる。また、本体から突出させた持ち手は、同じく本体から突出させた転倒防止突起同様の働き、すなわち本体が傾くと設置面に直ちに設置して、前記本体の転倒を抑制又は防止する効果も有する。
【図面の簡単な説明】
【００１６】
【図１】本発明の指圧具の一例について、持ち手を右に突出させた状態を表す斜視図である。
【図２】本例の指圧具について、持ち手を左に突出させた状態を表す斜視図である。
【図３】本例の指圧具の正面図である。
【図４】本例の指圧具の背面図である。
【図５】本例の指圧具の平面図である。
【図６】本例の指圧具の底面図である。
【図７】本例の指圧具の左側面図である。
【図８】本例の指圧具の右側面図である。
【図９】本例の指圧具を設置面に置き、第１の指圧列を利用者の首に押し当てる使用状態を表す左側面図である。
【図１０】本例の指圧具を設置面に置き、第１の指圧列を利用者の背中に押し当てる使用状態を表す左側面図である。
【図１１】本例の指圧具を設置面に置き、第１の指圧列を利用者の腰に押し当てる使用状態を表す左側面図である。
【図１２】本例の指圧具を設置面に置き、第１の指圧列を利用者の臀部に押し当てる使用状態を表す左側面図である。
【図１３】第１の指圧列の一番目に狭い間隔Ａ1を形成する指圧突起を利用者の背中に押し当てる使用状態を表す正面図である。
【図１４】第１の指圧列の一番目に広い間隔Ａ6を形成する指圧突起を利用者の背中に押し当てる使用状態を表す正面図である。
【図１５】第１指圧列の右端の指圧突起のみに背中が押し当てられた状態を表す正面図である。
【図１６】第１指圧列の左端の指圧突起のみに背中が押し当てられた状態を表す正面図である。
【図１７】本例の指圧具について、第２指圧列の指圧突起を直上に向けた状態を表す図１相当斜視図である。
【図１８】第２の指圧列の二番目に狭い間隔Ａ2を形成する指圧突起を利用者の背中に押し当てる使用状態を表す正面図である。
【図１９】第２の指圧列の二番目に広い間隔Ａ5を形成する指圧突起を利用者の背中に押し当てる使用状態を表す正面図である。
【図２０】本例の指圧具について、第３指圧列の指圧突起を直上に向けた状態を表す図１相当斜視図である。
【図２１】第３の指圧列の三番目に狭い間隔Ａ3を形成する指圧突起を利用者の背中に押し当てる使用状態を表す正面図である。
【図２２】第３の指圧列の三番目に広い間隔Ａ4を形成する指圧突起を利用者の背中に押し当てる使用状態を表す正面図である。
【図２３】本例の指圧具について、延長された転倒防止突起の先端を支点として全体を傾けた状態を表す斜視図である。
【図２４】本例の指圧具について、延長された転倒防止突起の先端を支点として全体を傾けた状態を表す正面図である。
【図２５】本発明の指圧具の別例を表す図１相当斜視図である。
【図２６】別例の指圧具の平面図である。
【発明を実施するための形態】
【００１７】
以下、本発明を実施するための形態について図を参照しながら説明する。本発明に基づく指圧具１は、例えば図１〜図８に見られるように、第１〜第３の指圧突起111,121,131を３個ずつ本体14の延在方向に並べて構成される第１〜第３の指圧列11,12,13を、前記延在方向に直交する周方向に120度等間隔で、前記本体14の第１〜第３の取付面141,142,143それぞれに設けている。第１〜第３の転倒防止突起144,145,146及び延長された転倒防止突起147（第１の転倒防止突起144を延長したもの）は、第１〜第３の指圧列11,12,13に対して２個ずつ、合計６個設けている。
【００１８】
本体14は、側面にあたる第１〜第３の取付面141,142,143が交差する角部を面取りした木製の三角柱で、上面及び底面にあたる端面の一方（図１中左方）から第１の転倒防止突起144を延長した三角片状の延長された転倒防止突起147を突出させ、また残る端面の他方（図１中右方）から円柱状の持ち手15をそれぞれ突出させている。本体14は、第１〜第３の指圧列11,12,13を周方向に120度等間隔で設けることができれば、外形状が三角柱に限定されず、また第１〜第３の指圧突起111,121,131を固定できれば木製に限定されない。
【００１９】
第１の指圧列11は、両端に位置する指圧突起111,111の全体間隔Ｌに対し、左端（図５中左端）の指圧突起111と中間の指圧突起111との間隔を一番目に広い間隔Ａ6とし、右端（図５中右端）の指圧突起111と中間の指圧突起111との間隔を一番目に狭い間隔Ａ1として、Ｌ＝Ａ1＋Ａ6としている。指圧突起111は、木製の円錐台の上面に半球状のコルクを取り付けた構成で、本体14の第１の取付面141に接着して固定している。指圧突起111は、本体14の第１の取付面141に固定されればよいので、例えばボルト及びナットで第１の取付面141に固定してもよいし、前記ボルト及びナットを利用して着脱自在に第１の取付面141に固定してもよい。
【００２０】
第２の指圧列12は、両端に位置する指圧突起121,121の全体間隔Ｌを上述の第１の指圧列11の全体間隔Ｌと同じにし、両端の指圧突起121の本体14の延在方向の位置を前記第１の指圧列11両端の指圧突起111と一致させながら、左端（図５中左端）の指圧突起121と中間の指圧突起121との間隔を二番目に広い間隔Ａ5とし、右端（図５中右端）の指圧突起121と中間の指圧突起121との間隔を二番目に狭い間隔Ａ2として、Ｌ＝Ａ2＋Ａ5としている。指圧突起121は、上記指圧突起111と同じ木製の円錐台の上面に半球状のコルクを取り付けた構成で、本体14の第２の取付面142に接着して固定している。指圧突起121も、ボルト及びナットで第２の取付面142に固定してもよいし、前記ボルト及びナットを利用して着脱自在に第２の取付面142に固定してもよい。着脱自在とした場合、指圧突起111と交換することもできる。
【００２１】
第３の指圧列12は、両端に位置する指圧突起131,131の全体間隔Ｌを上述の第１の指圧列11の全体間隔Ｌと同じにし、両端の指圧突起131の本体14の延在方向の位置を前記第１の指圧列11両端の指圧突起111と一致させながら、左端（図５中左端）の指圧突起131と中間の指圧突起131との間隔を三番目に広い間隔Ａ4とし、右端（図５中右端）の指圧突起131と中間の指圧突起131との間隔を三番目に狭い間隔Ａ3として、Ｌ＝Ａ3＋Ａ4としている。指圧突起131は、上記指圧突起111及び指圧突起121と同じ木製の円錐台の上面に半球状のコルクを取り付けた構成で、本体14の第３の取付面143に接着して固定している。指圧突起131も、ボルト及びナットで第３の取付面143に固定してもよいし、前記ボルト及びナットを利用して着脱自在に第３の取付面143に固定してもよい。着脱自在とした場合、指圧突起111又は指圧突起121と交換することもできる。
【００２２】
こうして、本例の指圧具１は、第１〜第３の指圧列11,12,13それぞれの指圧突起111,121,131が形成する全体間隔Ｌを同じにしながら、隣り合う指圧突起111,121,131が形成する間隔Ａ1〜Ａ6がすべて異なせ、間隔Ａ1＜間隔Ａ2＜間隔Ａ3＜間隔Ａ4（＝全体間隔Ｌ−間隔Ａ3）＜間隔Ａ5（＝全体間隔Ｌ−間隔Ａ2）＜間隔Ａ6（＝全体間隔Ｌ−間隔Ａ1）の関係に設定している。これにより、異なる指圧突起の間隔Ａ1〜間隔Ａ6が、本体14の周方向に大小の順番で並び（図５参照）、利用者２が指圧突起111,121,131の間隔を選択する際、本体14の周方向に回しながら容易に選択できる。
【００２３】
第１の転倒防止突起144は、設置面３に指圧突起121,131を接地させる第２及び第３の指圧列12,13の周方向中間角度で、本体14の端部に直近する前記指圧列12,13の指圧突起121,131と前記本体14の端部とを本体14の延在方向に結ぶ間の本体14から、前記設置面３に当接するように突出させる略直方体の木製ブロックである。本例の転倒防止突起144は、持ち手15を突出させた本体14の端部（図１中右方）に対し、また転倒防止突起147は、持ち手15を突出させない端部の他方（図１中左方）に対して、それぞれ接着により固定される。転倒防止突起146及び転倒防止突起147は、本体14に対して着脱自在にしてもよいし、本体14と一体に成形してもよい。
【００２４】
第２の転倒防止突起145は、第１の転倒防止突起144同様、設置面３に指圧突起111,131を接地させる第１及び第３の指圧列11,13の周方向中間角度で、本体14の端部に直近する前記指圧列11,13の指圧突起111,131と前記本体14の端部とを本体14の延在方向に結ぶ間の本体14から、前記設置面３に当接するように突出させる略直方体の木製ブロックである。本例の転倒防止突起145は、本体14の両端部に対して接着により固定される。転倒防止突起145は、本体14に対して着脱自在にしてもよいし、本体14と一体に成形してもよい。
【００２５】
第３の転倒防止突起146は、第１の転倒防止突起144同様、設置面３に指圧突起111,121を接地させる第１及び第２の指圧列11,12の周方向中間角度で、本体14の端部に直近する前記指圧列12,13の指圧突起121,131と前記本体14の端部とを本体14の延在方向に結ぶ間の本体14から、前記設置面３に当接するように突出させる略直方体の木製ブロックである。本例の転倒防止突起146は、本体14の両端部に対して接着により固定される。転倒防止突起146は、本体14に対して着脱自在にしてもよいし、本体14と一体に成形してもよい。
【００２６】
指圧具１は、例えば第２及び第３の指圧列12,13の指圧突起121,131を接地面３に接地させ、本体14の延在方向に直交する向きで利用者が仰向けに乗り、第１指圧列11のうち、間隔Ａ1である中間及び右端の指圧突起111,111（図５及び図13参照）又は間隔Ａ6である左端及び中間の指圧突起111,111（図５及び図14参照）を組として、首21（図９参照）、背中22（図10参照）、腰23（図11参照）や臀部24（図12参照）を押し当て、それぞれにあるツボを左右一対で刺激する。
【００２７】
本例の指圧具１は、全体が木製で、首21、背中22、腰23や臀部24に押し当てられる指圧突起111の先端であるコルクもほとんど変形しないので、指圧具１だけを設置面３に置いて利用者２が前記指圧具１の上に仰向けで寝ると、前記利用者２の背中22が大きく反ったり、臀部24が浮き上がったりする場合もある。これから、例えば指圧具１から離れた位置に枕やクッションを敷いて、指圧突起111が首21、背中22、腰23や臀部24を押す状態を確保しながら、背中22の反り返りを抑えたり、臀部24のみが浮き上がる状態を緩和してもよい。
【００２８】
利用者２の背中を指圧突起111,121,131で押す場合を例に、本例の指圧具１の使用態様を説明する。まず、第２及び第３の指圧列12,13を構成する６個の指圧突起121,131を設置面３に接地させると、第１の指圧列12に並ぶ３個の指圧突起111が直上を向く。本例の指圧具１は、第２及び第３の指圧列12,13両端（本体14の端部に直近）の指圧突起121,131が本体14の延在方向の位置を揃えているため、前記両端の指圧突起121,131の結ぶ仮想線が本体14の延在方向に直交する。これは、中間の指圧突起121,131がずれて両方が見える場合でも、両端の指圧突起121,131が重なって手前の指圧突起131しか見えないことから理解される（図３参照）。
【００２９】
こうした設置状態において、図13に見られるように、利用者２が間隔Ａ1である中間（図13中中間）及び右端（図13中右端）の指圧突起111,111に背中22を押し当てるように寝ると、前記指圧突起111,111が背骨を挟む左右一対のツボを押して刺激する。このとき、左端の指圧突起111は、中間の指圧突起111から離れているので、特に背中22に触れたり、前記背中22に強く押し当てられたりすることはない。また、第２及び第３の指圧列12,13の指圧突起121,131を設置面３に接地させた設置状態で、第２及び第３の転倒防止突起145,146が上方に突出するが、前記転倒防止突起145,146は直上に向く指圧突起111よりも低いため、やはり背中22に当たることがない。
【００３０】
中間及び右端の指圧突起111,111の間隔Ａ1が狭いと感じた場合、図14に見られるように、持ち手15を引っ張って指圧具１を、本体14の延在右方（図14中右方）にずらし、利用者２が間隔Ａ6である左端（図14中中間）及び中間（図14中中間）の指圧突起111,111に背中22を押し当てればよい。このとき、右端の指圧突起111は、中間の指圧突起111に近いため、背中22に触れることもあるが、前記背中22に強く押し当てられたりすることはない。また、第２及び第３の転倒防止突起145,146は、上述同様、直上に向く指圧突起111よりも低いため、やはり背中22に当たることがない。
【００３１】
転倒防止突起144,147は、次の場合に転倒防止の働きを発揮する。例えば図15に見られるように、利用者２が間隔Ａ1である中間（図15中中間）及び右端（図15中右端）の指圧突起111,111に背中22を押し当てようとして、右端の指圧突起111だけを押した場合（図15中白抜矢印参照）、本体14は第２及び第３の指圧列12,13右端の指圧突起121,131を結ぶ仮想線を軸に右回り（図15中右回り）に起き上がろうとする。このとき、前記指圧突起121,131を結ぶ仮想線より右方に位置する転倒防止突起144が初めから設置面３に当接していることで、本体14を回転させようとする力に対抗し（図15中黒矢印参照）、本体14の回転を抑制又は防止する。仮に、転倒防止突起144を支点として本体が持ち上がろうとしても、本例の指圧具１の場合、端部から突出させた持ち手15が突っ張り、前記本体14が大きく持ち上がることが防止される。
【００３２】
また、図16に見られるように、利用者２が間隔Ａ2である左端（図16中左端）及び中間（図16中中間）の指圧突起111,111に背中22を押し当てようとして、左端の指圧突起111だけを押した場合（図16中白抜矢印参照）、本体14は第２及び第３の指圧列12,13左端の指圧突起121,131を結ぶ仮想線を軸に左回り（図16中）に起き上がろうとする。このとき、前記指圧突起121,131を結ぶ仮想線より左方に位置する転倒防止突起147が初めから設置面３に当接していることで、本体14を回転させようとする力に対抗し（図16中黒矢印参照）、本体14の回転を抑制又は防止する。本例の指圧具１の場合、転倒防止突起147の接地面積が大きいため、後述するように、転倒防止突起147の先端を支点として本体14を意図的に持ち上げない限り、前記本体14の持ち上がりが防止される。
【００３３】
本例の指圧具１は、隣り合う指圧突起111,121,131の間隔Ａ1〜間隔Ａ6がすべて異なっており、本体14を周方向に回転させて前記間隔Ａ1〜間隔Ａ6を選択して利用できる。例えば図17に見られるように、第１の指圧列11の指圧突起111を直上に突出させた状態（図１参照）で手前から奥へと本体14を周方向に120度回転させ、第２の指圧列12の指圧突起121を直上に突出させた状態にし、図18に見られるように、二番目に狭い間隔Ａ2で並ぶ中間（図18中中間）及び右端（図18中右端）の指圧突起121,121や、図19に見られるように、二番目に広い間隔Ａ2で並ぶ左端（図19中左端）及び中間（図19中中間）の指圧突起121,121で、それぞれ背中22のツボを押すことができる
【００３４】
また、図20に見られるように、第2の指圧列12の指圧突起121を直上に突出させた状態（図17参照）で手前から奥へと本体14を周方向に120度回転させ、第３の指圧列13の指圧突起131を直上に突出させた状態にし、図21に見られるように、三番目に狭い間隔Ａ3で並ぶ中間（図21中中間）及び右端（図21中右端）の指圧突起131,131や、図22に見られるように、三番目に広い間隔Ａ3で並ぶ左端（図22中左端）及び中間（図22中中間）の指圧突起131,131で、それぞれ背中22のツボを押すことができる。
【００３５】
図１〜図８に明らかなように、本発明の指圧具１は、周方向に第１〜第３の指圧列11,12,13が並んでいるため、指圧突起111,111の間隔Ａ1、指圧突起121,121の間隔Ａ2、そして指圧突起131,131の間隔Ａ3や、指圧突起111,111の間隔Ａ6、指圧突起121,121の間隔Ａ5、そして指圧突起131,131の間隔Ａ4は、本体14の周方向に並んでいる。また、端部に直近である両端の指圧突起111,121,131は本体14の延在方向に揃った位置にあるため、前記間隔Ａ1〜間隔Ａ3や間隔Ａ4〜間隔Ａ6は、比較しやすくなっている（図５参照）。これから、本発明の指圧具１は、利用者が本体14を周方向に回すだけで、間隔Ａ1〜間隔Ａ6を比較して、選択しやすい利点を有する。
【００３６】
本体14を周方向に回転させる場合、設置面３に置く前の本体14を持って直接回転させてもよいし、持ち手15を持って設置面３に置いた本体14を回転させてもよい。同じ指圧列12,13内で指圧突起121,131の間隔Ａ2及び間隔Ａ5や間隔Ａ3及び間隔Ａ4を切り換える場合、上述同様、持ち手15を持って本体14の延在方向にずらすとよい。また、延長された転倒防止突起147が設置面３から離れるので、前記転倒防止突起147を持ち手15代わりに持って、本体14を延在方向にずらしてもよい。
【００３７】
そして、図示を省略するが、指圧突起121又は指圧突起131を直上に向けた場合でも、本体14の両端に設けられた第２又は第３の転倒防止突起145,146が設置面３に当接している（図18、図19、図21及び図22参照）ため、右端（図18又は図21中右端）や左端（図19又は図22中左端）の指圧突起121,131のみに背中22が当たっても、本体14が回転して持ち上がることがない（転倒防止の働きは図15及び図16参考）。
【００３８】
指圧具１の端部から突出させた持ち手15は、指圧具１の取扱を容易にしたり、指圧具１を肩叩き具として利用できるようにするほか、図23及び図24に見られるように、例えば指圧突起111を押し付けるために指圧具１を斜めに持ち上げる際の操作部分として働く。具体的には、第２及び第３の指圧列12,13の指圧突起121,131と共に前記転倒防止突起147を設置面３に接面させた状態で、転倒防止突起147を突出させた端部と反対側の本体14の端部から突出させた持ち手15を手に持って持ち上げ、転倒防止突起147の先端を支点として設置面３に押し付け、例えば左端（図24中左端）の指圧突起111を強く背中22に押し付ける。
【００３９】
転倒防止突起144,145,146,147は、第１〜第３の指圧列11,12,13に並ぶ指圧突起111,121,131が２個の場合でも、本体14の転倒を防止する働きがある。別例の指圧具１は、図25及び図26に見られるように、第１〜第３の指圧列11,12,13に並ぶ指圧突起111,121,131が２個で、各指圧列11,12,13における指圧突起111,121,131の全体間隔Ｌが異なり、第１の指圧列11に並ぶ指圧突起111,111は間隔Ａ6＝全体間隔Ｌ、第２の指圧列12に並ぶ指圧突起121,121は間隔Ａ5＝全体間隔Ｌ、そして第３の指圧列13に並ぶ指圧突起131,131は間隔Ａ4＝全体間隔Ｌとして、間隔Ａ4＜間隔Ａ5＜間隔Ａ6の関係としている。
【００４０】
第１〜第３の指圧列11,12,13は、それぞれの指圧突起111,121,131の間隔Ａ4〜間隔Ａ6を中点で揃えているため、前記指圧突起111,121,131の本体14の延在方向の位置がずれる。このため、設置面３に第２及び第３の指圧列12,13の指圧突起121,131を設置させた際、指圧突起121,131を結ぶ仮想線が本体14の延在方向に対して斜めになり、直上を向いた指圧突起111,111の左右いずれかのみに背中22が押し当てられると、本体14が傾いて回転する虞がある。転倒防止突起144,147は、こうした本体14の傾きを抑制し、転倒を防止する。図示を省略するが、転倒防止突起145,146も同様に転倒防止の働きを発揮する。
【符号の説明】
【００４１】
１  指圧具
11  第１の指圧列
111  指圧突起
12  第２の指圧列
121  指圧突起
13  第３の指圧列
131  指圧突起
14  本体
141  第１の取付面
142  第２の取付面
143  第３の取付面
144  第１の転倒防止突起
145  第２の転倒防止突起
146  第３の転倒防止突起
147  延長された転倒防止突起
15  持ち手
２  利用者
21  首
22  背中
23  腰
24  臀部
３  設置面
Ｌ  全体間隔
Ａ1  一番目に狭い間隔
Ａ2  二番目に狭い間隔
Ａ3  三番目に狭い間隔
Ａ4  三番目に広い間隔
Ａ5  二番目に広い間隔
Ａ6  一番目に広い間隔
【図１】
2015217190.tif 000003
【図２】
2015217190.tif 000004
【図３】
2015217190.tif 000005
【図４】
2015217190.tif 000006
【図５】
2015217190.tif 000007
【図６】
2015217190.tif 000008
【図７】
2015217190.tif 000009
【図８】
2015217190.tif 000010
【図９】
2015217190.tif 000011
【図１０】
2015217190.tif 000012
【図１１】
2015217190.tif 000013
【図１２】
2015217190.tif 000014
【図１３】
2015217190.tif 000015
【図１４】
2015217190.tif 000016
【図１５】
2015217190.tif 000017
【図１６】
2015217190.tif 000018
【図１７】
2015217190.tif 000019
【図１８】
2015217190.tif 000020
【図１９】
2015217190.tif 000021
【図２０】
2015217190.tif 000022
【図２１】
2015217190.tif 000023
【図２２】
2015217190.tif 000024
【図２３】
2015217190.tif 000025
【図２４】
2015217190.tif 000026
【図２５】
2015217190.tif 000027
【図２６】
2015217190.tif 000028
【手続補正書】
【提出日】平成26年10月16日(2014.10.16)
【手続補正１】
【補正対象書類名】特許請求の範囲
【補正対象項目名】全文
【補正方法】変更
【補正の内容】
【特許請求の範囲】
【請求項１】
複数の指圧突起を長尺な本体の延在方向に並べた指圧列を、前記延在方向に直交する周方向に120度等間隔で前記本体に３列設けた指圧具において、
設置面に指圧突起を接地させる２列の指圧列の周方向中間角度で、本体の端部の直近にある指圧突起と前記本体の端部との間から、前記設置面に当接する転倒防止突起を突出させたことを特徴とする指圧具。
【請求項２】
転倒防止突起は、各指圧列の周方向中間角度すべてで本体から突出させた請求項１記載の指圧具。
【請求項３】
転倒防止突起は、本体の両端部それぞれの直近にある指圧突起と前記本体の両端部との間それぞれから突出させた請求項１又は２いずれか記載の指圧具。
【請求項４】
転倒防止突起は、本体の端部から前記本体の延在方向に突出させた請求項１〜３いずれか記載の指圧具。
【請求項５】
本体は、端部の一方又は両方から本体の延在方向に持ち手を突出させた請求項１〜４いずれか記載の指圧具。
【手続補正２】
【補正対象書類名】明細書
【補正対象項目名】０００７
【補正方法】変更
【補正の内容】
【０００７】
検討の結果、複数の指圧突起を長尺な本体の延在方向に並べた指圧列を、前記延在方向に直交する周方向に120度等間隔で前記本体に３列設けた指圧具において、設置面に指圧突起を接地させる２列の指圧列の周方向中間角度で、本体の端部の直近にある指圧突起と前記本体の端部との間から、前記設置面に当接する転倒防止突起を突出させたことを特徴とする指圧具を開発した。本体及び指圧突起は、それぞれ木製、金属製又は樹脂製で、指圧突起の頂面は、利用者の背中、腰及び首に接触するため、コルクや弾性変形する柔らかい樹脂を用いる。
【手続補正３】
【補正対象書類名】明細書
【補正対象項目名】０００９
【補正方法】変更
【補正の内容】
【０００９】
転倒防止突起は、特定の指圧列に対して本体の端部の一方にのみ設けるだけでもよいが好ましい転倒防止突起は、各指圧列の周方向中間角度すべてで本体から突出させるとよい。これにより、接地面に接地する指圧突起が変わっても転倒防止突起を設置面に当接させることができ、本体の持ち上がりやひっくり返ることを防止できる。また、好ましい転倒防止突起は、本体の両端部それぞれの直近にある指圧突起と前記本体の両端部との間それぞれから突出させる。これにより、本体の延在方向いずれの側も、持ち上がりやひっくり返ることを防止できる。
【手続補正４】
【補正対象書類名】明細書
【補正対象項目名】００１２
【補正方法】変更
【補正の内容】
【００１２】
本発明により、指圧列に並ぶ複数（通常２個又は３個）の指圧突起の１個のみに首、背中、腰や臀部が押し付けられた時、本体が持ち上がったり、ひっくり返ったりしない指圧具が提供できる。これは、設置面に指圧突起を接地させる２列の指圧列の周方向中間角度で、本体の端部の直近にある指圧突起と前記本体の端部との間から、前記設置面に突出させた転倒防止突起による働きである。転倒防止突起は、指圧突起より突出量が小さいため、邪魔にならず、本体の転倒を抑制又は防止する点で効用が大きい。
【手続補正５】
【補正対象書類名】明細書
【補正対象項目名】００１３
【補正方法】変更
【補正の内容】
【００１３】
こうした転倒防止突起は、各指圧列の周方向中間角度すべてで本体から突出させたり、本体の両端部それぞれの直近にある指圧突起と前記本体の両端部との間それぞれから突出させることにより、設置面に接地させる指圧列を入れ替えても、また指圧列に並ぶどの指圧突起に首、背中、腰や臀部が押し付けられても、本体が持ち上がったり、ひっくり返ったりしないようにできる。こうして、本発明は、極めて安定して指圧具を接地面に置いておくことができる効果を得る。
【手続補正６】
【補正対象書類名】明細書
【補正対象項目名】００２３
【補正方法】変更
【補正の内容】
【００２３】
第１の転倒防止突起144は、設置面３に指圧突起121,131を接地させる第２及び第３の指圧列12,13の周方向中間角度で、本体14の端部の直近にある前記指圧列12,13の指圧突起121,131と前記本体14の端部とを本体14の延在方向に結ぶ間の本体14から、前記設置面３に当接するように突出させる略直方体の木製ブロックである。本例の転倒防止突起144は、持ち手15を突出させた本体14の端部（図１中右方）に対し、また転倒防止突起147は、持ち手15を突出させない端部の他方（図１中左方）に対して、それぞれ接着により固定される。転倒防止突起146及び転倒防止突起147は、本体14に対して着脱自在にしてもよいし、本体14と一体に成形してもよい。
【手続補正７】
【補正対象書類名】明細書
【補正対象項目名】００２４
【補正方法】変更
【補正の内容】
【００２４】
第２の転倒防止突起145は、第１の転倒防止突起144同様、設置面３に指圧突起111,131を接地させる第１及び第３の指圧列11,13の周方向中間角度で、本体14の端部の直近にある前記指圧列11,13の指圧突起111,131と前記本体14の端部とを本体14の延在方向に結ぶ間の本体14から、前記設置面３に当接するように突出させる略直方体の木製ブロックである。本例の転倒防止突起145は、本体14の両端部に対して接着により固定される。転倒防止突起145は、本体14に対して着脱自在にしてもよいし、本体14と一体に成形してもよい。
【手続補正８】
【補正対象書類名】明細書
【補正対象項目名】００２５
【補正方法】変更
【補正の内容】
【００２５】
第３の転倒防止突起146は、第１の転倒防止突起144同様、設置面３に指圧突起111,121を接地させる第１及び第２の指圧列11,12の周方向中間角度で、本体14の端部の直近にある前記指圧列12,13の指圧突起121,131と前記本体14の端部とを本体14の延在方向に結ぶ間の本体14から、前記設置面３に当接するように突出させる略直方体の木製ブロックである。本例の転倒防止突起146は、本体14の両端部に対して接着により固定される。転倒防止突起146は、本体14に対して着脱自在にしてもよいし、本体14と一体に成形してもよい。